(57)【要約】【課題】被写体画像を鑑賞するときに、被写体人物の顔表情に相応しい楽曲を流すこと。【解決手段】顔表情検出部２３は、被写体画像データの被写体人物の顔表情を検出し、関連付け部２９は、楽曲データ記憶部３０に記憶されている楽曲データから、顔表情検出部２３によって検出された所定の顔表情に相応しい楽曲データを選択し、その楽曲データと被写体画像データとを関連付ける。被写体画像を再生するときに、関連付け部２９によってこの被写体画像に関連付けられた楽曲を再生する。【選択図】図１
2010226484.tif 000002
【特許請求の範囲】
【請求項１】
撮影された被写体画像データの被写体人物の顔表情が所定の顔表情であることを検出する顔表情検出手段と、
前記被写体画像データを複数記憶する画像データ記憶手段と、
楽曲データを複数記憶する楽曲データ記憶手段と、
前記楽曲データ記憶手段に記憶された前記楽曲データから、前記顔表情検出手段が検出した所定の顔表情に相応しい楽曲データを選択して、前記選択された楽曲データを前記被写体画像データに関連付ける関連付け手段と、
前記画像データ記憶手段から前記被写体画像データを再生するときに、前記関連付け手段によってこの被写体画像データに関連付けられた前記楽曲データを前記楽曲データ記憶手段から再生する再生手段と、を備えたことを特徴とする画像表示装置。
【請求項２】
請求項１に記載の画像表示装置において、
前記楽曲データは、歌詞データを含み、
前記関連付け手段は、前記楽曲データを選択する際に、前記顔表情検出手段が検出した所定の顔表情に相応しい歌詞を持つ楽曲を選択することを特徴とする画像表示装置。
【請求項３】
請求項２に記載の画像表示装置において、
前記再生手段は、前記楽曲データの再生の際に、前記歌詞も再生表示することを特徴とする画像表示装置。
【請求項４】
請求項１に記載の画像表示装置において、
楽曲データを保存する外部の楽曲データ蓄積手段と通信する通信手段を更に備え、
前記楽曲データは、前記通信手段を介して、前記外部の楽曲データ蓄積手段からダウンロードされて、前記楽曲データ記憶手段に記憶されることを特徴とする画像表示装置。
【請求項５】
撮影された被写体画像データの被写体人物の顔表情度合いが複数の顔表情レベルの何れに該当するかを判別する顔表情レベル判別手段と、
前記被写体画像データを複数記憶する画像データ記憶手段と、
楽曲データを複数記憶する楽曲データ記憶手段と、
前記楽曲データ記憶手段に記憶された前記楽曲データから、前記顔表情レベル判別手段が判別した顔表情レベルに相応しい楽曲データを選択して、前記選択された楽曲データを前記被写体画像データに関連付ける関連付け手段と、
前記画像記憶手段から前記被写体画像データを再生するときに、前記関連付け手段によってこの被写体画像データに関連付けられた前記楽曲データを前記楽曲データ記憶手段から再生する再生手段と、を備えたことを特徴とする画像表示装置。
【請求項６】
請求項５に記載の画像表示装置において、
前記関連付け手段は、前記楽曲データを選択する際に、前記顔表情レベル判別手段が判別した顔表情レベルに相応しいテンポを持つ楽曲を選択することを特徴とする画像表示装置。
【請求項７】
請求項６に記載の画像表示装置において、
前記関連付け手段は、前記顔表情レベル判別手段が判別した顔表情レベルが高レベルであったときには、アップテンポの楽曲を選択し、前記顔表情レベル判別手段が判別した顔表情レベルが低レベルであったときには、スローテンポの楽曲を選択することを特徴とする画像表示装置。
【請求項８】
撮影された被写体画像データに基づき、前記被写体画像の被写体人物の年代又は性別を推論する推論手段と、
前記被写体画像データを複数記憶する画像データ記憶手段と、
楽曲データを複数記憶する楽曲データ記憶手段と、
前記楽曲データ記憶手段に記憶された前記楽曲データから、前記推論手段が推論した年代又は性別に相応しい楽曲データを選択して、前記選択された楽曲データを前記被写体画像データに関連付ける関連付け手段と、
前記画像データ記憶手段から前記被写体画像データを再生するときに、前記関連付け手段によってこの被写体画像データに関連付けられた前記楽曲データを前記楽曲データ記憶手段から再生する再生手段と、を備えたことを特徴とする画像表示装置。
【請求項９】
請求項１、５又は８に記載の画像表示装置において、
前記画像データ記憶手段と前記楽曲記憶手段とは、同一記憶媒体から構成されることを特徴とする画像表示装置。
【請求項１０】
請求項１、５又は８に記載の画像表示装置において、
前記画像データ記憶手段と前記楽曲記憶手段とは、それぞれ異なった記憶媒体から構成されることを特徴とする画像表示装置。
【請求項１１】
請求項１〜１０のいずれか１項に記載の画像表示装置を備えるデジタルカメラ。
【発明の詳細な説明】
【技術分野】
【０００１】
本発明は、画像を再生表示する際に楽曲も再生出力する画像表示装置、およびその画像表示装置を備えるデジタルカメラに関する。
【背景技術】
【０００２】
従来、撮影された画像を再生表示するとともに音楽も再生し、音楽をＢＧＭとして流しながら画像を鑑賞することが行われている。その一例として、海外旅行先で撮影した画像にその地域の位置情報を付しておき、その地域に相応しい音楽を外部から通信手段によって入手し、その音楽を聴きながら画像を鑑賞できる装置が知られている（例えば、特許文献１参照）。
【先行技術文献】
【特許文献】
【０００３】
【特許文献１】特開２００６−５７８８号公報
【発明の概要】
【発明が解決しようとする課題】
【０００４】
しかしながら、引用文献１の装置では、撮影場所に相応しい音楽を選択することはできるが、撮影画像中の人物の顔表情には相応しくない音楽が選択される可能性がある。すなわち、音楽を自動選択する場合、撮影場所が同じであれば、人物の顔表情が笑顔でも泣き顔でも同じ音楽が選択されてしまい、その場面に適していない音楽が選択されると画像鑑賞の楽しみが減少する恐れがある。
【課題を解決するための手段】
【０００５】
（１）請求項１の発明による画像表示装置は、撮影された被写体画像データの被写体人物の顔表情が所定の顔表情であることを検出する顔表情検出手段と、被写体画像データを複数記憶する画像データ記憶手段と、楽曲データを複数記憶する楽曲データ記憶手段と、楽曲データ記憶手段に記憶された楽曲データから、顔表情検出手段が検出した所定の顔表情に相応しい楽曲データを選択して、選択された楽曲データを被写体画像データに関連付ける関連付け手段と、画像データ記憶手段から被写体画像データを再生するときに、関連付け手段によってこの被写体画像データに関連付けられた楽曲データを楽曲データ記憶手段から再生する再生手段と、を備えたことを特徴とする。
（２）請求項５の発明による画像表示装置は、撮影された被写体画像データの被写体人物の顔表情度合いが複数の顔表情レベルの何れに該当するかを判別する顔表情レベル判別手段と、被写体画像データを複数記憶する画像データ記憶手段と、楽曲データを複数記憶する楽曲データ記憶手段と、楽曲データ記憶手段に記憶された楽曲データから、顔表情レベル判別手段が判別した顔表情レベルに相応しい楽曲データを選択して、選択された楽曲データを被写体画像データに関連付ける関連付け手段と、画像記憶手段から被写体画像データを再生するときに、関連付け手段によってこの被写体画像データに関連付けられた楽曲データを楽曲データ記憶手段から再生する再生手段と、を備えたことを特徴とする。
（３）請求項８の発明による画像表示装置は、撮影された被写体画像データに基づき、被写体画像の被写体人物の年代又は性別を推論する推論手段と、被写体画像データを複数記憶する画像データ記憶手段と、楽曲データを複数記憶する楽曲データ記憶手段と、楽曲データ記憶手段に記憶された楽曲データから、推論手段が推論した年代又は性別に相応しい楽曲データを選択して、選択された楽曲データを被写体画像データに関連付ける関連付け手段と、画像データ記憶手段から被写体画像データを再生するときに、関連付け手段によってこの被写体画像データに関連付けられた楽曲データを楽曲データ記憶手段から再生する再生手段と、を備えたことを特徴とする。
【発明の効果】
【０００６】
本発明の画像表示装置によれば、被写体画像中の人物の顔表情、顔表情レベル又は年代／性別に相応しい楽曲が選択されるので、効果的な画像鑑賞を楽しむことができる。
【図面の簡単な説明】
【０００７】
【図１】本発明の実施の形態に係るデジタルカメラの構成を示すブロック図である。
【図２】デジタルカメラのメモリ１６ａのディレクトリ構成を概略的に示す図である。
【発明を実施するための形態】
【０００８】
以下、本発明の実施の形態による画像表示装置について、図１、２を参照しながら説明する。
図１は、本発明の実施の形態によるデジタルカメラの構成を示すブロック図である。
図１に示されるように、デジタルカメラは、撮影レンズ１１、絞り１２、撮像素子１３、バッファメモリ１４、画像処理部１５を備える。また、デジタルカメラは、画像記録部１６、ＣＰＵ（Ｃｅｎｔｒａｌ  Ｐｒｏｃｅｓｓｉｎｇ  Ｕｎｉｔ）１７、ＲＯＭ（Ｒｅａｄ  Ｏｎｌｙ  Ｍｅｍｏｒｙ）１８、バス１９、楽曲データ記憶部３０、選択部３１、通信部３２、画像再生部３３、ディスプレイ３４、オーディオ再生部３５およびスピーカー３６を備える。
【０００９】
画像処理部１５、画像記録部１６、ＣＰＵ１７、ＲＯＭ１８、楽曲データ記憶部３０、選択部３１、画像再生部３３、オーディオ再生部３５は、バス１９を介して互いに接続されている。
【００１０】
ＣＰＵ１７は、顔検出部２１、顔表情検出部２３、顔表情レベル判別部２５、年代／性別推論部２７および関連付け部２９として機能する。また、ＣＰＵ１７は、撮影手段である撮影レンズ１１、絞り１２、撮像素子１３を制御する。
ＲＯＭ１８は、顔データ記憶部２２、顔表情データ記憶部２４、顔表情レベルデータ記憶部２６、年代／性別データ記憶部２８として機能する。
【００１１】
撮影レンズ１１は、ズームレンズやフォーカスレンズを含む複数のレンズで構成され、被写体像を撮像素子１３上に結像する。図１では簡単のため、撮影レンズ１１は１枚のレンズで示されている。撮像素子１３は、撮影レンズ１１からの被写体光Ｌ１を光電変換することにより画像信号を生成する。
【００１２】
撮像素子１３から出力される画像信号は、バッファメモリ１４を介して画像処理部１５に送られ、ここで所定の種々の画像処理が施される。撮影開始前の段階では、撮像素子１３からの画像信号は、バッファメモリ１４、画像処理部１５およびバス１９を介してディスプレイ３４に送られ、スルー画像として表示される。撮影段階では、撮像素子１３からの画像信号は、バッファメモリ１４、画像処理部１５を介して画像記録部１６にて記録される。
【００１３】
画像記録部１６は、画像情報とその画像に関する属性情報とを関連付けて不揮発性のメモリ１６ａに記録する。画像情報には、被写体を撮影レンズ１１、絞り１２、撮像素子１３によって撮影した被写体画像や、外部機器から画像記録部１６に入力された撮影画像が含まれる。
【００１４】
顔検出部２１は、被写体画像を顔データ記憶部２２に予め記憶されている顔データと比較することにより、被写体画像中の被写体人物の顔を検出する。被写体人物が複数人いる場合は、全員の顔を個別に検出する。顔データ記憶部２２は、例えば、眉、眼、鼻、唇の形状に関する特徴点のデータを記憶している。
【００１５】
顔検出には、例えば、特開２００１−１６５７３号公報に開示されている検出手法を用いることができる。この検出手法は、入力画像中から特徴点を抽出して被写体の顔領域、顔の大きさ等を検出するものである。特徴点としては、眉、眼、鼻、唇の各端点、および顔の輪郭点、例えば頭頂点や顎の下端点が挙げられる。
【００１６】
他の顔検出としては、例えば、特開２００５−１５７６７９号公報に開示されている検出手法を用いることができる。この検出手法は、先ず、入力画像中の２画素間の輝度差を特徴量として学習しておき、その特徴量に基づいて入力画像中の所定領域に顔が存在するか否かを示す推定値を算出し、推定値が１以上のときにその所定領域に顔が存在すると判別するものである。
【００１７】
顔表情検出部２３は、顔検出部２１により検出された顔領域の画像の顔表情を顔表情データ記憶部２４に予め記憶されている所定の顔表情データと比較することにより、顔領域の画像中の被写体人物の顔表情が所定の顔表情データに対応することを検出する。
顔表情には、笑顔、泣き顔、怒り顔、驚き顔、寝顔などの様々な種類があり、顔表情データ記憶部２４は、これらの複数の顔表情データを記憶している。顔表情検出部２３は、例えば、被写体画像中の被写体人物の顔表情が笑顔であることを検出すると、その旨の検出信号を出力する。
【００１８】
顔表情検出部２３が顔領域の画像の顔表情を検出する場合には、特開２００８−４２３１９号公報に開示されている検出手法を用いることができる。この検出手法は、例えば笑顔であることを検出するには、検出された画像の顔が笑顔と通常時の顔という２つの顔表情のいずれに近いかに基づいて表情の種類を判断するものである。
【００１９】
顔表情レベル判別部２５は、顔検出部２１により検出された顔領域の画像の顔表情を顔表情レベルデータ記憶部２６に予め記憶されている複数の顔表情レベルデータと比較することにより、顔領域の画像中の被写体人物の顔表情がいずれの顔表情レベルに対応するかを判別する。
【００２０】
顔表情レベルデータ記憶部２６は、顔表情の種類毎に表情の度合い（顔表情レベル）として、例えば笑顔であれば、微笑、中位の笑い、大笑いという３段階の笑顔レベルデータを記憶している。
【００２１】
笑顔の度合いを判定する手法には、例えば、特開２００４−４６５９１号公報に開示されている手法を用いることができる。この判定手法は、入力された部分画像の笑顔について笑顔の度合いの評価を行い、笑顔評価値を算出する。笑顔評価の際は、予め記憶されている笑顔データを参照して眉、瞳孔、唇の各要素の形状の評価ポイントを算出し、各評価ポイントを係数により重み付けした上で合算した値を笑顔評価値としている。
【００２２】
年代／性別推論部２７は、顔検出部２１により検出された顔領域の画像に基づき被写体人物の年代／性別を推論する。すなわち、年代／性別推論部２７は、被写体人物の顔画像中の各特徴点と、年代／性別データ記憶部２８に予め記憶されている顔の各特徴点とについて、各特徴点が持つ特徴量や色彩データなどを比較して被写体人物の年代または性別を推論する。そして、年代／性別推論部２７は、推論結果、例えば、被写体人物の年代は２０歳代、性別は女性という推論データを出力する。年代／性別データ記憶部２８は、男女それぞれの年代別に、例えば、眉、眼、鼻、唇などの特徴点が持つ特徴量のデータおよび色彩データを記憶している。
【００２３】
年代／性別を推論する方法としては、例えば、特開２００４−２２２１１８号公報に開示されている方法を用い、上記の特徴量をサポートベクタマシンというシステムに入力することによって行う。
【００２４】
関連付け部２９は、顔表情検出部２３が検出した被写体画像の人物の顔表情の種類、顔表情レベル判別部２５が判別した被写体人物の顔表情レベル、および年代／性別推論部２７が推論した被写体人物の年代または性別に対してそれぞれ相応しい楽曲を後述の楽曲データ記憶部３０から自動的に選択し、被写体画像と選択した楽曲との関連付けを行う。
【００２５】
楽曲データ記憶部３０は、多数の楽曲データを記憶している。これらの楽曲は、（１）歌詞付きの楽曲、（２）テンポに特徴のある楽曲、（３）アニメソングや童謡や演歌や民謡等のジャンル別の楽曲等に、分類されている。
【００２６】
歌詞付き楽曲は、「笑い」や「泣き」や「怒り」等を直接表現する歌詞やそれらを連想する歌詞が付いた楽曲であり、例えば「その笑顔  眩しすぎるのは  もはや罪だよね」、「微笑む姿  忘れられないよ」のように笑顔に関係のある歌詞付きの楽曲、「心がきっと乾いて  涙なんか流していたのなら」、「どこか悲しげな声が僕を呼んでいる」のような泣き顔に関係のある歌詞付きの楽曲などである。また、テンポに特徴のある楽曲は、アップテンポの曲、ミディアムテンポの曲やスローテンポの曲である。ジャンル別の楽曲は、更に流行した年代等によって細かく分類されている。
【００２７】
選択部３１は、顔表情検出部２３、顔表情レベル判別部２５又は年代/性別推論部２７を択一的に選択して、作動させる操作部材である。
【００２８】
通信部３２は、通信ネットワークを介して外部のサーバー１００と接続され、サーバー１００から楽曲データをダウンロードする。ダウンロードされた楽曲データは、楽曲データ記憶部３０に格納される。
【００２９】
画像再生部３３は、メモリ１６ａに保存された被写体画像データを再生し、ディスプレイ３４は、その再生された被写体画像を表示する。ディスプレイ３４は、被写体画像のみを表示したり、楽曲の歌詞などのテキスト情報を画像情報に重畳して表示する。
【００３０】
オーディオ再生部３５は、楽曲の音声データを再生し、スピーカー３６は、その再生された楽曲を出力する。
【００３１】
以上のように構成されたデジタルカメラの動作を、図１，２を参照しながら説明する。メモリ１６ａには、図２に示すディレクトリ構造が用意されている。
【００３２】
−第１の動作−
先ず、顔表情に基づいて、それに相応しい楽曲を選択する場合を説明する。
操作者が選択部３１によって顔表情を選択すると、顔表情検出部２３が起動される。
メモリ１６ａから複数の所望の被写体画像データが順次読み出され、顔検出部２１がこれらの被写体画像を顔データ記憶部２２の顔データと比較して、被写体画像中の被写体人物の顔部分を検出する。顔表情検出部２３は、顔検出部２１によって検出された被写体画像の人物の顔表情を顔表情データ記憶部２４の顔表情データと比較して、被写体人物の顔表情が「笑顔」又は「泣き顔」又は『怒り顔』などの何れであるかを検出する。
【００３３】
関連付け部２９は、被写体画像の顔表情が笑顔であった場合には、笑顔に相応しい歌詞を持つ楽曲を楽曲データ記憶部３０から選択すると共に、その被写体画像ファイルとその歌詞付き楽曲ファイルとを、図２に示されるように、メモリ１６ａの「笑顔」ディレクトリ下に作成する。更にこのとき、「笑顔」ディレクトリには、この画像ファイルと楽曲ファイルとを関連付ける関連付けファイルが作成される。なお、笑顔に相応しい歌詞とは、例えば「その笑顔  眩しすぎるのは  もはや罪だよね」、「微笑む姿  忘れられないよ」などが存在する。
【００３４】
顔表情検出部２３が「泣き顔」を検出した場合には、関連付け部２９は、泣き顔に相応しい歌詞を持つ楽曲を楽曲データ記憶部３０から選択すると共に、その被写体画像ファイルとその歌詞付き楽曲ファイルとをメモリ１６aの「泣き顔」ディレクトリ下に作成する。更にこのとき、「泣き顔」ディレクトリにはこの画像ファイルと楽曲ファイルとを関連付ける関連付けファイルが作成される。なお、泣き顔に相応しい歌詞とは、例えば「心がきっと乾いて  涙なんか流していたのなら」、「どこか悲しげな声が僕を呼んでいる」などが存在する。
顔表情検出部２３が「怒り顔」を検出した場合にも、同様に「怒り顔」ディレクトリの下に画像ファイルとその怒り顔に相応しい歌詞付き楽曲ファイルと関連付けファイルとがそれぞれ作成される。
【００３５】
操作者が画像再生部３３によって、「顔表情」ディレクトリを開いて、楽曲付きのスライドショーの実行を指示すると、この「顔表情」ディレクトリの下の「笑顔」ディレクトリと「泣き顔」ディレクトリと「怒り顔」ディレクトリなどに格納されている画像ファイルの被写体画像データが例えば、順次、所定の時間間隔で読み出され、ディスプレイ３４に表示される。これと同時に、オーディオ再生部３５によって、その再生中の被写体画像に関連付けられた楽曲が楽曲ファイルから読み出され、スピーカー３６から音声が再生される。
更に、この楽曲の歌詞は、画像再生部３３によって、ディスプレイ３４に表示中の被写体画像にスーパーインポーズされて表示される。このときに、歌詞の音声を再生しないようにした場合には、鑑賞者は、ディスプレイ３４に表示された歌詞に基づき歌唱すれば、カラオケ的に楽しむこともできる。
【００３６】
なお、スライドショーの実行の際には、各画像ファイルに格納されているサムネイル画像をディスプレイ３４に一覧表示し、その一覧表示のサムネイル画像からスライドショーを行いたい画像を手動選択することもできる。
また、「笑顔」ディレクトリを開いて、「笑顔」ディレクトリ下の画像ファイル及び楽曲ファイルについてスライドショー再生を行うことができる。勿論この場合には、笑顔の被写体画像のみがスライドショー再生される。
【００３７】
−第２の動作−
次に、笑顔レベルに基づいて、それに相応しい楽曲を選択する場合を説明する。
操作者が選択部３１によって笑顔レベルを選択すると、顔表情レベル判別部２５が起動される。
メモリ１６ａから複数の所望の被写体画像データが順次読み出され、顔検出部２１がこれらの被写体画像を顔データ記憶部２２の顔データと比較して、被写体画像中の被写体人物の顔部分を検出する。顔表情レベル判別部２５は、顔検出部２１によって検出された被写体画像の人物の顔表情を顔表情レベルデータ記憶部２６の顔表情レベルデータと比較して、被写体人物の顔表情の度合いが「大笑いレベル」又は「中笑いレベル」又は「微笑みレベル」の何れであるかを判別する。
【００３８】
関連付け部２９は、被写体画像の笑顔レベルが「大笑い」であった場合には、アップテンポの楽曲を楽曲データ記憶部３０から選択すると共に、その被写体画像ファイルとその楽曲ファイルとをメモリ１６ａの「大笑い」ディレクトリ下に作成する。更にこのとき、「大笑い」ディレクトリにはこの画像ファイルと楽曲ファイルとを関連付ける関連付けファイルが作成される。
【００３９】
同様に、関連付け部２９は、被写体画像の笑顔レベルが「中笑い」又は「微笑み」であった場合には、ミディアムアップテンポの楽曲又はスローテンポの楽曲をそれぞれ楽曲データ記憶部３０から選択すると共に、その被写体画像ファイルとその楽曲ファイルとをメモリ１６ａの「中笑い」又は「微笑み」ディレクトリ下にそれぞれ作成する。更にこのとき、「中笑い」又は「微笑み」ディレクトリにはこの画像ファイルと楽曲ファイルとを関連付ける関連付けファイルが作成される。
【００４０】
操作者が画像再生部３３によって、「笑顔レベル」ディレクトリを開いて、楽曲付きのスライドショーの実行を指示すると、この「笑顔レベル」ディレクトリの下の「大笑い」ディレクトリと「中笑い」ディレクトリと「微笑み」ディレクトリなどに格納されている画像ファイルの被写体画像データが例えば、順次、所定の時間間隔で読み出され、ディスプレイ３４に表示される。これと同時に、オーディオ再生部３５によって、その再生中の被写体画像に関連付けられた楽曲が楽曲ファイルから読み出され、スピーカー３６から音声が再生される。
【００４１】
なお、スライドショーの実行の際には、各画像ファイルに格納されているサムネイル画像をディスプレイ３４に一覧表示し、その一覧表示のサムネイル画像からスライドショーを行いたい画像を選択することもできる。
また、例えば「大笑い」ディレクトリを開いて、「大笑い」ディレクトリ下の画像ファイル及び楽曲ファイルについてスライドショー再生を行うことができる。勿論この場合には、大笑いの被写体画像のみがスライドショー再生される。
「笑顔レベル」の他に「泣き顔レベル」ディレクトリや「怒り顔レベル」ディレクトリのような他の「顔表情レベル」も作ることもできる。
【００４２】
−第３の動作−
次に、年代/性別の推論結果に基づいて、それに相応しい楽曲を選択する場合を説明する。
操作者が選択部３１によって年代／性別を選択すると、年代／性別推論部２７が起動される。
メモリ１６ａから複数の所望の被写体画像データが順次読み出され、顔検出部２１がこれらの被写体画像を顔データ記憶部２２の顔データと比較して、被写体画像中の被写体人物の顔部分を検出する。年代／性別推論部２７は、顔検出部２１によって検出された被写体画像の人物の顔を年代／性別データ記憶部２８の年代／性別データと比較して、被写体人物の年代と性別とを推論する。
【００４３】
関連付け部２９は、年代／性別推論部２７の推論結果が「乳幼児／男女」であった場合には、アニメソングや童謡の楽曲を楽曲データ記憶部３０から選択すると共に、その被写体画像ファイルとその楽曲ファイルとをメモリ１６aの「乳幼児／男女」ディレクトリ下に作成する。更にこのとき、「乳幼児／男女」ディレクトリにはこの画像ファイルと楽曲ファイルとを関連付ける関連付けファイルが作成される。
【００４４】
同様に、関連付け部２９は、被写体画像の年代／性別の推論結果が例えば「２０代女性」であった場合には、例えば女性歌手のその年代のヒット曲を楽曲データ記憶部３０から選択すると共に、その被写体画像ファイルとその楽曲ファイルとをメモリ１６ａの「２０代女性」ディレクトリ下にそれぞれ作成する。更にこのとき、「２０代女性」ディレクトリにはこの画像ファイルと楽曲ファイルとを関連付ける関連付けファイルが作成される。
被写体画像の年代性別の推論結果が例えば「５０代男性」であった場合にも同様である。
【００４５】
操作者が画像再生部３３によって、例えば「乳幼児／男女」ディレクトリを開いて、楽曲付きのスライドショーの実行を指示すると、この「乳幼児／男女」ディレクトリ下の画像ファイルの被写体画像データが、順次、所定の時間間隔で読み出され、ディスプレイ３４に表示される。これと同時に、オーディオ再生部３５によって、その再生中の被写体画像に関連付けられた楽曲が楽曲ファイルから読み出され、スピーカー３６から再生される。
なお、スライドショーの実行の際には、各画像ファイルに格納されているサムネイル画像をディスプレイ３４に一覧表示し、その一覧表示のサムネイル画像からスライドショーを行いたい画像を選択することもできる。
【００４６】
また、「顔表情」や「笑顔レベル」や「年代性別」ディレクトリにおいて、「顔表情」や「笑顔レベル」や「年代性別」にそれぞれ相応しい楽曲を選択する際に、各被写体画像に対して複数の楽曲を選択して、その複数の楽曲をディスプレイ３４に一覧表示して、この中から操作者が最も相応しいと思う楽曲を選定し、この楽曲ファイルを各ディレクトリに格納することもできる。
【００４７】
また、撮影画像ファイルに格納されているその画像の撮影年月日のデータを補助データとして利用することもできる。例えば、「２０代女性」と「撮影年月日」とに基づき、撮影年月日当時に２０代女性に対してヒットした楽曲を選定することもできる。
【００４８】
本実施の形態によるデジタルカメラによれば、以下の作用効果を奏する。
（１）被写体人物の顔表情に相応しい歌詞を持つ楽曲を選択し、被写体画像ファイルと歌詞付き楽曲ファイルとを関連付けて所定のディレクトリに格納することにより、被写体画像を再生して鑑賞する際に、その画像に適した楽曲を聞くことができるので、リアリティが深まり娯楽性が高まる。
（２）被写体人物の笑顔レベルに相応しいテンポの楽曲を選択し、被写体画像ファイルと楽曲ファイルとを関連付けて所定のディレクトリに格納することにより、被写体画像を再生して鑑賞する際に、その画像に適した楽曲を聞くことができるので、臨場感が増し娯楽性が高まる。
（３）被写体人物の年代／性別に相応しい楽曲を選択し、被写体画像ファイルと楽曲ファイルとを関連付けて所定のディレクトリに格納することにより、被写体画像を再生して鑑賞する際に、その画像に適した楽曲を聞くことができるので、親近感が増し娯楽性が高まる。
【００４９】
上述の実施の形態では、被写体画像データとそれに相応しい楽曲データとは共に、同一の記録媒体に、即ちメモリ１６ａに格納されるものであったが、被写体画像データをメモリ１６ａに格納し、それに相応しい楽曲データをメモリ１６ａ以外の記憶媒体、例えば楽曲データ記憶部３０に格納することもできる。
サーバー１００は、例えば、ＤＬＮＡ（デジタル・リビング・ネットワーク・アライアンス）で知られる家庭内ネットワークで接続された楽曲データ蓄積部でもよい。この楽曲データ蓄積部は、具体的にはハードディスクレコーダーや音楽プレーヤーなどである。
【００５０】
また、上述の実施の形態は、本発明をデジタルカメラに適用したものであったが、本発明は、それに限らず、パソコンやその他の画像表示装置に適用することができる。例えば、図１において一点鎖線で囲んだ構成を有さない画像表示装置、すなわち、撮影手段である撮影レンズ１１、絞り１２、撮像素子１３やバッファメモリ１４、画像処理部１５を有さない画像表示装置に適用することができる。
本発明は、その特徴を損なわない限り、以上説明した実施の形態に何ら限定されない。
【符号の説明】
【００５１】
１６：画像記録部                  １７：ＣＰＵ
１８：ＲＯＭ                      １９：バス
２３：顔表情検出部                ２４：顔表情データ記憶部
２５：顔表情レベル判別部          ２６：顔表情レベルデータ記憶部
２７：年代／性別推論部            ２８：年代／性別データ記憶部
２９：関連付け部                  ３０：楽曲データ記憶部
３１：選択部                      ３２：通信部
３３：画像再生部                  ３５：オーディオ再生部
【図１】
2010226484.tif 000003
【図２】
2010226484.tif 000004